(57)【特許請求の範囲】
【請求項１】
４種類のスーツが、クラブ、ダイヤ、ハート及びスペード、又はそれらに類似するスーツから成るトランプカードであって、
元素周期表の第１周期、第２周期及び第３周期に属する１８個の元素が一つずつ表示された１８枚の第１グループのトランプカードと、
元素周期表の第４周期に属する１８個の元素が一つずつ表示された１８枚の第２グループのトランプカードと、
元素周期表の第５周期に属する１８個の元素が一つずつ表示された１８枚の第３グループのトランプカードと、
元素周期表の第６周期の第３族を除く各族の元素と前記第３族のランタノイドを代表する１つの元素とを合わせた１８個の元素が一つずつ表示された１８枚の第４グループのトランプカードと、
を備えるトランプカード。
【請求項２】
請求項１に記載のトランプカードであって、
前記第１グループ、第２グループ、第３グループ及び第４グループの各トランプカードには、フェイスの中央に、表示する元素の電子配置図が表示され、左サイドの上部及び右サイドの下部に、他のグループから区別できる前記スーツと、前記電子配置図が表す元素の原子番号の大きさに基づいて順位付けられた、該元素の各グループ内でのランクを表す数字又は記号とから成るインデックスが表示されているトランプカード。
【発明の詳細な説明】
【技術分野】
【０００１】
本発明は、遊びながら元素と元素の周期律が学習できるトランプカードに関し、通常のトランプと同様の遊び方ができるように構成したものである。
【背景技術】
【０００２】
一般的なトランプカードは、良く知られているように、スペード、ハート、クラブ及びダイヤの４種類のスーツ（組）から成り、各スーツは１３枚の札で構成されている。
スーツが表示されたトランプカードの表面はフェイスと呼ばれ、同一模様が表示されたカードの裏面はバックと呼ばれる。また、カードの長辺側はサイド（左サイド、右サイド）と呼ばれ、短辺側はエンド（前エンド、後エンド）と呼ばれる。
通常のトランプカードでは、フェイスの左サイドの上方及び右サイドの下方に、各カードのスーツの図形と、そのカードのランクを表す数字（２〜１０）又は記号（Ａ、Ｊ、Ｑ，Ｋ）とを組合わせたインデックスが表示され、フェイスの中央部分には、ランクが１〜１０のカードでは、ランクの数のスーツの図形が表示され、また、ランクが１１、１２、１３のカードでは、王子、王妃、王様の図形がそれぞれ表示されている。この１１、１２、１３のカードは絵札と呼ばれる。
【０００３】
文部科学省は、多くの人が科学に親しみを持つように、基礎的・普遍的な科学知識を分かり易く知らせる“一家に一枚周期表”のポスターを製作し、配布している。
このポスターには、図１３に示すように、周期律に基づいて元素を並べた周期表が記載され、さらに各元素の用途や発見者等の情報が併記されている。
周期表では、良く知られているように、その縦列が族と呼ばれ、横列が周期と呼ばれる。標準的な周期表では、族が第１族から第１８族まである。周期は、第1周期から第7周期まであるが、第7周期の元素には、発見の報告はあるが公的に認定されていない、仮の名前が付けられた元素も含まれている。
【０００４】
また、下記特許文献１には、元素や素粒子の情報をゲームを通して学習できる元素カードが開示されている。
この元素カードは、カードの中央に元素記号が表示され、カードの周辺に、その元素の族及び周期が表示されている。
特許文献１には、この元素カードを用いた種々の遊び方が紹介されている。
【先行技術文献】
【特許文献】
【０００５】
【特許文献１】特許第５３１５０８６号公報
【発明の概要】
【発明が解決しようとする課題】
【０００６】
しかし、周期表の各周期に属する元素の数は同一ではない。
周期表の第1周期には、第1族の水素（Ｈ）と第１８族のヘリウム（Ｈｅ）とが存在するだけで、第２族から第１７族までの元素は存在しない。また、第２周期には、第１族のリチウム（Ｌｉ）、第２族のベリリウム（Ｂｅ）、第１３族のホウ素（Ｂ）、第１４族の炭素（Ｃ）、第１５族の窒素（Ｎ）、第１６族の酸素（Ｏ）、第１７族のフッ素（Ｆ）及び第１８族のネオン（Ｎｅ）は存在するが、第３族から第１２族までの元素は存在しない。同様に、第３周期でも第３族から第１２族までの元素は存在しない。
第４周期及び第５周期では、第１族から第１８族までの各族に一つずつの元素が含まれる。
第６周期では、第３族を除く各族に一つずつの元素が含まれるが、第３族には、原子番号５７のランタン（Ｌａ）から７１のルテチウム（Ｌｕ）までの１５元素がグループ名「ランタノイド」として含まれている。
同様に、第７周期では、第３族を除く各族に一つずつの元素が含まれるが、第３族には、原子番号８９のアクチニウム（Ａｃ）から１０３のローレンシウム（Ｌｒ）までの１５元素がグループ名「アクチノイド」として含まれている。
このように、周期表の各周期に属する元素の数が同じではないため、特許文献１に記載された元素カードは、多くの人が馴染んでいる通常のトランプの遊び方で遊ぶことができない。また、特許文献１の元素カードには、原子を理解するうえで重要な電子配置図が記載されていない。
【０００７】
本発明は、こうした事情を考慮して創案したものであり、通常のトランプと同様のゲームが可能であり、そのゲームを通じて元素に対する知識を深めることができるトランプカードを提供することを目的としている。
【課題を解決するための手段】
【０００８】
本発明は、４種類のスーツが、クラブ、ダイヤ、ハート及びスペード、又はそれらに類似するスーツから成るトランプカードであって、元素周期表の第１周期、第２周期及び第３周期に属する１８個の元素が一つずつ表示された１８枚の第１グループのカードと、元素周期表の第４周期に属する１８個の元素が一つずつ表示された１８枚の第２グループのカードと、元素周期表の第５周期に属する１８個の元素が一つずつ表示された１８枚の第３グループのカードと、元素周期表の第６周期の第３族を除く各族の元素と前記第３族のランタノイドを代表する１つの元素とを合わせた１８個の元素が一つずつ表示された１８枚の第４グループのカードと、を備える。
そして、第１グループ、第２グループ、第３グループ及び第４グループの各カードには、フェイスの中央に、表示する元素の電子配置図が表示され、左サイドの上部及び右サイドの下部に、他のグループから区別できるスーツと、電子配置図が表す元素の原子番号の大きさに基づいて順位付けられた、その元素の各グループ内でのランクを表す数字又は記号とから成るインデックスが表示されている。
このトランプカードは、各スーツの枚数が、通常のトランプよりも多い１８枚で構成されているが、その他の点は通常のトランプと共通しているため、通常のトランプで馴染みがある、ババ抜き、七並べ、神経衰弱、ページワン、大富豪等のゲームを同じように行うことができる。
【０００９】
また、本発明のトランプカードでは、フェイスの電子配置図が表示されていない余白に、電子配置図で表された元素の元素記号、元素名の少なくとも一方が表示される。
そのため、ゲームをしながら、元素記号、元素名、電子配置等の情報が目に入り、学習の意識を特に持たなくても元素の基礎的な知識が蓄えられる。
【００１０】
また、本発明のトランプカードでは、フェイスの前エンド側及び後エンド側の余白のそれぞれに元素記号を表示し、前エンド側に表示した元素記号の文字の天地と、後エンド側に表示した元素記号の文字の天地とを逆向きにすることが望ましい。
こうすることで、前エンド及び後エンドのどちらの方向から見ても、カードに表示された元素が容易に理解でき、ゲーム中に、場に並べたカードの天地を揃えたり、扇状に拡げて手に持つカードの天地を揃えたりする作業が不要になる。
【００１１】
また、本発明のトランプカードでは、フェイスに表示された電子配置図の中心位置に、原子核を意味する円又は球を描き、その中にこの電子配置図で表された元素の原子番号を表示するようにしても良い。
原子番号は原子核の陽子の数に等しいため、電子配置図の中心は、原子番号の表示位置として相応しい。
【００１２】
また、本発明のトランプカードでは、少なくとも第１族、第２族、第１３族から第１８族の元素が表示されたカードのフェイスの背景の色を、族ごとに違えることが望ましい。
こうすることで同族元素が見極め易くなり、元素の族に着目したゲームで遊ぶことが容易になる。
【００１３】
また、本発明のトランプカードでは、インデックスが表示されたカードの他に、原子核が表示されたジョーカーを備えるようにしても良い。
ジョーカーを加えることでゲームの幅が拡がり、また、ゲームを通じて原子核についての知識を深めることができる。
【００１４】
また、本発明のトランプカードでは、第１グループ、第２グループ、第３グループ及び第４グループの最上位から３番目までのランクのカード、最上位から４番目までのランクのカード、又は、最上位から５番目までのランクのカードのいずれを絵札としても良い。
各スーツの枚数が通常のトランプよりも多いため、絵札が増えても違和感はない。
【発明の効果】
【００１５】
本発明のトランプカードは、カードの構成が通常のトランプに類似し、馴染みのあるトランプのゲームが行える。そのため、子供から大人まで、手軽に遊ぶことができ、この遊びを通じて、元素の基礎知識を吸収することができる。
【図面の簡単な説明】
【００１６】
【図１】本発明の実施形態に係るトランプカードのフェイスの表示を説明する図
【図２】第１グループのランクが１〜９のカードを示す図
【図３】第１グループのランクが１０〜１８のカードを示す図
【図４】第２グループのランクが１〜９のカードを示す図
【図５】第２グループのランクが１０〜１８のカードを示す図
【図６】第３グループのランクが１〜９のカードを示す図
【図７】第３グループのランクが１０〜１８のカードを示す図
【図８】第４グループのランクが１〜９のカードを示す図
【図９】第４グループのランクが１０〜１８のカードを示す図
【図１０】第３グループの絵札を示す図
【図１１】カードのバック（ａ）及びジョーカー（ｂ）の図柄を示す図
【図１２】カードのフェイスの他の表示例を示す図
【図１３】一家に一枚周期表を示す図
【発明を実施するための形態】
【００１７】
図１（ａ）（ｂ）に示すように、本発明の実施形態に係るトランプカード１０は、フェイスの中央に元素の電子配置図１１が表示されている。図１（ａ）には、元素周期表の第５周期の第１族元素であるルビジウム（Ｒｂ）の電子配置図１１が表示され、図１（ｂ）には、第５周期の第３族元素であるイットリウム（Ｙ）の電子配置図１１が表示されている。電子配置図１１の中央には、ＲｂやＹの原子番号を表す数字１２が記載された円（又は球）が表示されている。この円又は球は原子核を意味している。
また、電子配置図１１の前エンド側（図の上側）の余白には、大きい文字で表記された元素記号１３と日本語による元素名１４とが表示され、電子配置図１１の後エンド側（図の下側）の余白には、大きい文字で表示された元素記号１６と英語による元素名１５とが表示されている。前エンド側の元素記号１３及び元素名１４は、それらの文字の天地が、前エンド側が上になるように記載され、後エンド側の元素記号１６及び元素名１５は、それらの文字の天地が、後エンド側が上になるように記載されている。このカードは、前エンド及び後エンドのどちらの方向から見ても、文字の天地が順方向の元素記号や元素名が存在する。特に、元素記号は、大きい文字で目立つように表記されているため、どちらの方向から見ても、カードに表示された元素が容易に理解できる。
【００１８】
また、フェイスの左サイドの上部及び右サイドの下部には、スーツ２２と、表示された元素のランクを表す記号又は数字２１とから成るインデックス２０が、左右のサイドで逆向きになるように表示されている。
インデックス２０のスーツ２２の中央には、電子配置図１１に表示された電子殻の最外殻が表示されている。電子殻は、原子核に近いものからＫ殻、Ｌ殻、Ｍ殻、Ｎ殻、Ｏ殻・・・と呼ばれており、最外殻を表すアルファベットがスーツ２２の中央に表示されている。
【００１９】
このトランプカードのスーツは、クラブ、ダイヤ、ハート及びスペードの４種類である。クラブは、図２及び図３に示すように、周期表の第１周期に属する２個の元素（水素（Ｈ）、ヘリウム（Ｈｅ））と、第２周期に属する８個の元素（リチウム（Ｌｉ）、ベリリウム（Ｂｅ）、ホウ素（Ｂ）、炭素（Ｃ）、窒素（Ｎ）、酸素（Ｏ）、フッ素（Ｆ）、ネオン（Ｎｅ））と、第３周期に属する８個の元素（ナトリウム（Ｎａ）、マグネシウム（Ｍｇ）、アルミニウム（Ａｌ）、ケイ素（Ｓｉ）、リン（Ｐ）、硫黄（Ｓ）、塩素（Ｃｌ）、アルゴン（Ａｒ））とが表示された合計１８枚のカードに付されている。この１８枚のカードを“第１グループのカード”と呼ぶことにする。
【００２０】
また、ダイヤは、図４及び図５に示すように、周期表の第４周期に属する１８個の元素（カリウム（Ｋ）、カルシウム（Ｃａ）、スカンジウム（Ｓｃ）、チタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、ガリウム（Ｇａ）、ゲルマニウム（Ｇｅ）、ヒ素（Ａｓ）、セレン（Ｓｅ）、臭素（Ｂｒ）、クリプトン（Ｋｒ））が表示された１８枚のカードに付されている。この１８枚のカードを“第２グループのカード”と呼ぶことにする。
また、ハートは、図６及び図７に示すように、周期表の第５周期に属する１８個の元素（ルビジウム（Ｒｂ）、ストロンチウム（Ｓｒ）、イットリウム（Ｙ）、ジルコニウム（Ｚｒ）、ニオブ（Ｎｂ）、モリブデン（Ｍｏ）、テクネチウム（Ｔｃ）、ルテニウム（Ｒｕ）、ロジウム（Ｒｈ）、パラジウム（Ｐｄ）、銀（Ａｇ）、カドミウム（Ｃｄ）、インジウム（Ｉｎ）、スズ（Ｓｎ）、アンチモン（Ｓｂ）、テルル（Ｔｅ）、ヨウ素（Ｉ）、キセノン（Ｘｅ））が表示された１８枚のカードに付されている。この１８枚のカードを“第３グループのカード”と呼ぶことにする。
【００２１】
また、スペードは、図８及び図９に示すように、周期表の第６周期の第１族元素（セシウム（Ｃｓ））、第２族元素（バリウム（Ｂａ））、第３族のランタノイドを代表するランタン（Ｌａ）、及び第４族から第１８族の元素（ハフニウム（Ｈｆ）、タンタル（Ｔａ）、タングステン（Ｗ）、レニウム（Ｒｅ）、オスミウム（Ｏｓ）、イリジウム（Ｉｒ）、白金（Ｐｔ）、金（Ａｕ）、水銀（Ｈｇ）、タリウム（Ｔｌ）、鉛（Ｐｂ）、ビスマス（Ｂｉ）、ポロニウム（Ｐｏ）、アスタチン（Ａｔ）、ラドン（Ｒｕ））が表示された１８枚のカードに付されている。この１８枚のカードを“第４グループのカード”と呼ぶことにする。
なお、このトランプカードでは、公式に認定されていない元素が含まれる第７周期の元素をカードの対象から外している。
【００２２】
また、各グループのカードのインデックス２０には、当該グループを表すスーツ２２と共に、グループ内の元素を原子番号の小さいものから大きいものに順に並べたときのグループ内での順位（ランク）２１が数字又は記号で表示されている。
各グループ内の第１順位（即ち、グループ内で原子番号が最も小さい。）は記号Ａ（エース）で表示され、第２順位から第１３順位までは数字で表示され、第１４順位は記号ｋＮ（ナイト）で、第１５順位は記号Ｂ（ビショップ）で、第１６順位は記号Ｊ（ジャック）で、第１７順位は記号Ｑ（クイーン）で、そして、第１８順位（即ち、グループ内で原子番号が最も大きい。）は記号Ｋ（キング）で表示されている。
各グループの第１４順位から第１８順位までのカードは絵札である。図１０には、ハートの５枚の絵札を示している。ｋＮ、Ｂ、Ｊ、Ｑ、Ｋの各絵札には、フェイスの隅の領域に、それぞれ、騎士、司教、王子、王妃、王様の絵が表示されている。
また、図１１（ｂ）は、ジョーカーのカードの図柄を例示している。ここでは、ジョーカーの図柄として、原子核を示し、原子核から放出される放射線がα線、β線、γ線の３種類であることを表示している。
図１１（ａ）は、各カードの裏面（バック）の図柄として、原子をイメージし、原子核とその周りの電子雲を表示する図柄を例示している。
【００２３】
このトランプカードは、各スーツの枚数が１８枚であり、通常のトランプよりも５枚多い。また、絵札の枚数が５枚であり、通常のトランプよりも２枚多い。
しかし、スーツがクラブ、ダイヤ、ハート、スペードの４種類であり、各スーツのカードに連続番号のランク付けがされている点で通常のトランプと共通している。
そのため、通常のトランプと同じ要領で、ババ抜き、神経衰弱、ページワン、ポーカー、ラミー、大富豪等のゲームを行うことができる。
また、七並べは、通常のトランプでのルールを踏襲しても良いし、最初に場に並べるカードを、ランクが９又は１０のカードに変更して行っても良い。
【００２４】
このカードは、前エンド及び後エンドのどちらの方向から見た場合でも、元素記号１３、１６等から、カードに表示された元素が分かるため、ゲーム中に、場に並べたカードの天地を揃えたり、扇状に拡げて手に持つカードの天地を揃えたりする作業が不要であり、ゲームを円滑に進めることができる。
【００２５】
また、このトランプカードでは、次のような遊び方もできる。
（同族合わせ１）
（１）各自に４枚ずつカードを配り、場に３枚を表向きに置き、残りは裏向きにして積札とする。
（２）プレーヤーは、周期表の同族のカードを集める事を目指し、場札から１枚取り、場札に１枚戻す、という動作を繰り返す。
【００２６】
なお、ダイヤ、ハート及びスペードのスーツを持つ第２グループ、第３グループ、第４グループのカードの場合は、インデックスに表示されたランクが族を表している。
また、クラブのスーツを持つ第１グループのカードの場合は、電子配置図に表示された最外殻の電子が１個の元素（Ｈ、Ｌｉ、Ｎａ）は第１族、２個の元素（Ｂｅ、Ｍｇ）は第２族、３個の元素（Ｂ、Ａｌ）は第１３族、４個の元素（Ｃ、Ｓｉ）は第１４族、５個の元素（Ｎ、Ｐ）は第１５族、６個の元素（Ｏ、Ｓ）は第１６族、７個の元素（Ｆ、Ｃｌ）は第１７族、閉殻構造の元素（Ｈｅ、Ｎｅ，Ａｒ）は第１８族である。
従って、第１グループのカードでは、ランクが１、３、１１のカードが第１族、ランクが４、１２のカードが第２族、ランクが５、１３のカードが第１３族、ランクが６、１４のカードが第１４族、ランクが７、１５のカードが第１５族、ランクが８、１６のカードが第１６族、ランクが９、１７のカードが第１７族、ランクが２、１０、１８のカードが第１８族となる。
なお、少なくとも第１族、第２族、及び、第１３族から第１８族の各元素を表示するカードについては、フェイスの背景色を族ごとに違えて、同族元素が色で識別できるようにすることが望ましい。
【００２７】
（３）場から取った１枚と、手持ちのカードとを合わせて３枚の同族カードが集まれば“同族合わせ成立”となり、その同族カード３枚を自分の取り分として表向きに自分の前に並べる。次いで、積札から１枚を場に置いた後、積札から２枚取り、手札を４枚に戻す。この時に同族カード３枚が揃っても自分の前には置けず、次の順番まで待たなければならない。
（４）一巡した後は、場に交換したいカードがない場合に、「流す」と宣言して、場の３枚を流し、積札から新たに３枚を場に置き、その中の１枚を取り、場札に１枚戻す。また、場に交換したいカードがなく、かつ、流したくない場合はパスができる。流してからパスはできない。但し、連続してのパスは３回までしかできない。
（５）場から取った１枚が、自分の前に並べてある同族カードと同族であるときは、そのカードを自分の前の同族カードに付けることができる。この場合、場から１枚取るので、手札を捨てる必要はなく、積札から１枚取って場札に加える。
積札から取ったカードが自分の前に並べてある同族カードと同族である場合は、次回以降の番の時でなければ、自分の前の同族カードに付けられない。積札から取ったカードを自分の前の同族カードに付けたときは手札が減るので、手札が４枚となるように必要枚数を積札から取る。
他のプレーヤーの前に並んでいる同族カードには付けられない。
（６）同族カード２枚を持っているプレーヤーは、他のプレーヤーが場に捨てた１枚で同族カード３枚が揃うとき、“ポン”と言って捨てられた１枚を取ることができる。揃った同族カード３枚を自分の前に置き、積札から１枚取って場に置いた後、積札から２枚取り、手札を４枚に戻す。ポンがあった場合は、ポンを言った人の次の人からゲームを続ける。
（７）積札がなくなればゲームは終わりとするが、続けたいときは、流したカードをよく切り積札として続けることもできる。
（８）勝敗は取ったカードの枚数の多い方が勝ちとなる。同数の場合は絵札の多い方を勝ちとする。絵札も同数の時は、同族が少ないダイヤ、ハート、スペードの第３族から第１２族までの同族カードを多く集めた方を勝ちとする。その数字も同じときは同順位とする。
【００２８】
（同族合わせ２）
（１）各自に４枚ずつカードを配り、残りは積札とする。
（２）各自は、周期表の同族のカードを集める事を目指し、積札より１枚取り、１枚捨てる、という動作を繰り返す。第３族から第１２族までは同族のカードがダイヤ、ハート、スペードの３枚しかないが、第１族、第２族、第１３族〜第１８族では同族のカードが５〜６枚あることに留意しながら同族のカードを集める。
（３）同族カードが２枚揃ったところで、他のプレーヤーが捨てた札で同族カードが３枚揃うことになる場合は、ポンと言って、捨て札を取り、上がることができる。
（４）積札から取った１枚で３枚の同族カードが揃うときにも、上がりとなる。
（５）上がった場合は、残りの２枚のカードを捨てる。
（６）上がった順番が順位となる。積札がなくなればゲームは終わりとする。
【００２９】
（同族合わせ３）
（１）カードをすべて配る。
（２）水素のカードを持っている人からスタートする。
（３）自分の番が来たら誰かを指名し「○○（元素名）を持っていますか？」とコールする。例えば「ガリウムを持っていますか？」と言うように元素名でコールするのがポイントである。指名された人は、そのカードを持っていたら、コールした人にカードを必ず渡す。指名された人が指定カードを持っていれば（即ち、コールが当たっていれば）、コールした人の番が維持され、続けてコールすることができる。指名された人が指定カードを持っていなければ、指名された人に手番が移る。カードをもらった結果、周期表の縦列（族）が揃ったら、場に出して得点できる。
（４）これを繰り返し、最終的に場に出したカードの枚数の多い人が勝ちとなる。
【００３０】
（周期表作り）
（１）１枚のカードを該当する元素の図の上に載せられるような大きな周期表を台紙として用意する。
（２）全員にカードを配る。
（３）金（Ａｕ）、銀（Ａｇ）、銅（Ｃｕ）のカードを持っている人は、そのカードを台紙の金、銀、銅のカードの位置に置く。
（４）金（Ａｕ）のカードを持っていた人から七並べのルールに従い、元素名を言いながら台紙の上にカードを置いて行く。
（５）クラブのカードは、置かれたダイヤのカードの上に置いて行く。また、クラブのカードは、置かれたクラブのカードの上方のみに置くことができる。
（６）このように、クラブのカードの置き方が変わっている点を除けば、七並べと同じルールで遊ぶ。
【００３１】
このように、このトランプカードは、通常のトランプと同じような遊び方にも、元素の周期律を意識させるような遊び方にも使用することができ、こうした遊びを通じて、多くの人に、元素に関する基礎知識を自然に植え付けることができる。
このトランプカードの中央には元素の電子配置図が大きく表示されているため、元素の周期と最外殻との関係、元素の族と最外殻の電子数との関係、あるいは、その関係から外れる一部の元素などを、遊びを通して発見することができ、こうした発見により元素に対する関心や興味が一層高められる。
【００３２】
なお、ここに示したカードの図柄やフェイスへの記載事項は一例であって、本発明は、それだけに限定されるものではない。
例えば、図１２に示すように、電子配置図１１の周囲の余白に、元素記号１３、日本語による元素名１４、英語による元素名１５、及び原子量１７を表示しても良い。
また、ここでは、スーツが、クラブ、ダイヤ、ハート及びスペードから成るカードを示したが、それらに類似する４種類の図柄をスーツとして用いても良い。
また、ここでは、各グループのランクが最上位から５番目までのカードを絵札としているが、通常のトランプと同様に、最上位から３番目までのランクのカードを王様、王妃、王子の絵札としても良い。また、最上位から４番目までのランクのカードを絵札とし、ナイト又はビショップのいずれか一方を絵札に加えても良い。
【産業上の利用可能性】
【００３３】
本発明のトランプカードは、子供から大人までがゲームを楽しみながら元素の基礎知識を学ぶために使用することが可能であり、国民全般の科学技術マインドを高めるために広く用いることができる。
【符号の説明】
【００３４】
１０  カード
１１  電子配置図
１２  原子番号
１３  元素記号
１４  日本語による元素名
１５  英語による元素名
１６  元素記号
１７  原子量
２０  インデックス
２１  ランク
２２  スーツ
【図１】
0006401007.tif 000002
【図２】
0006401007.tif 000003
【図３】
0006401007.tif 000004
【図４】
0006401007.tif 000005
【図５】
0006401007.tif 000006
【図６】
0006401007.tif 000007
【図７】
0006401007.tif 000008
【図８】
0006401007.tif 000009
【図９】
0006401007.tif 000010
【図１０】
0006401007.tif 000011
【図１１】
0006401007.tif 000012
【図１２】
0006401007.tif 000013
【図１３】
0006401007.tif 000014